(57)【特許請求の範囲】
【請求項１】
外部から入力される画像信号に応じた光像を形成して投影する投影手段と、
所定のファイル名及び所定のファイル識別の画像ファイルを記憶可能な外部メモリを着脱可能な外部メモリ装着手段と、
上記投影手段で外部からの画像信号の入力が停止した際に、上記外部メモリ装着手段に外部メモリが装着されていること、及び装着されている外部メモリに所定のファイル名及び所定のファイル識別の画像ファイルが記憶されていることを判断する判断手段と、
この判断手段での判断結果に応じて上記外部メモリから所定のファイル名及び所定のファイル識別の画像ファイルを読出させ、上記投影手段で投影させる投影制御手段と、
音声処理手段と、
上記判断手段が、画像ファイルとして、上記外部メモリ装着手段に装着されている外部メモリに所定のファイル名及び所定のファイル識別の動画像ファイルを記憶していることを判断した場合に、上記投影制御手段が、上記外部メモリから所定のファイル名及び所定のファイル識別の動画像ファイルを読出させ、上記投影手段で再生して投影させている間は、上記音声処理手段での上記動画像ファイルデータ中に重畳して記録されている音声データの出力を自動的に一時的に禁止する音声制御手段と
を具備したことを特徴とする投影装置。
【請求項２】
上記判断手段は、上記外部メモリ装着手段に装着されている外部メモリに所定のファイル名及び所定のファイル識別の画像ファイルを複数記憶していることを判断し、
上記投影制御手段は、上記外部メモリから所定のファイル名及び所定のファイル識別の複数の画像ファイルを所定の順序で読出させ、上記投影手段で順次切換えて投影させる
ことを特徴とする請求項１記載の投影装置。
【請求項３】
上記外部メモリ装着手段に装着されている外部メモリから所定のファイル名及び所定のファイル識別の画像ファイルをコピーして記憶する内部画像メモリをさらに具備し、
上記投影制御手段は、上記判断手段が上記外部メモリ装着手段に外部メモリが装着されていないと判断した場合に、上記内部画像メモリに記憶された画像ファイルを読出させ、上記投影手段で投影させる
ことを特徴とする請求項１または２記載の投影装置。
【請求項４】
上記外部メモリ装着手段に装着されている外部メモリに記憶されるロゴ画像を使用する設定がされているか否かを判断する設定判断手段をさらに具備し、
上記設定判断手段により、上記ロゴ画像を使用する設定がされていると判断されたとき、上記判断手段は、上記投影手段で外部からの画像信号の入力が停止した際に、上記外部メモリ装着手段に外部メモリが装着されていること、及び装着されている外部メモリに所定のファイル名及び所定のファイル識別の画像ファイルが記憶されている
ことを判断することを特徴とする請求項１乃至３いずれか記載の投影装置。
【請求項５】
上記設定判断手段により、上記外部メモリに記憶されるロゴ画像を使用する設定がされていないと判断されたとき、上記投影制御手段は、デフォルトのロゴ画像データを読出させ、上記投影手段で投影させることを判断することを特徴とする請求項４記載の投影装置。
【請求項６】
外部から入力される画像信号に応じた光像を形成して投影する投影部と、所定のファイル名及び所定のファイル識別の画像ファイルを記憶可能な外部メモリを着脱可能な外部メモリ装着部と、音声処理部とを備えた投影装置での投影制御方法であって、
上記投影部で外部からの画像信号の入力が停止した際に、上記外部メモリ装着部に外部メモリが装着されていること、及び装着されている外部メモリに所定のファイル名及び所定のファイル識別の画像ファイルが記憶されていることを判断する判断工程と、
この判断工程での判断結果に応じて上記外部メモリから所定のファイル名及び所定のファイル識別の画像ファイルを読出させ、上記投影部で投影させる投影制御工程と、
上記判断工程で、画像ファイルとして、上記外部メモリ装着部に装着されている外部メモリに所定のファイル名及び所定のファイル識別の動画像ファイルを記憶していることが判断された場合に、上記投影制御工程で、上記外部メモリから所定のファイル名及び所定のファイル識別の動画像ファイルを読出させ、上記投影部で再生して投影させている間は、上記音声処理部での上記動画像ファイルデータ中に重畳して記録されている音声データの出力を自動的に一時的に禁止する音声制御工程と
を有したことを特徴とする投影制御方法。
【請求項７】
外部から入力される画像信号に応じた光像を形成して投影する投影部と、所定のファイル名及び所定のファイル識別の画像ファイルを記憶可能な外部メモリを着脱可能な外部メモリ装着部と、音声処理部とを備えた投影装置に内蔵されたコンピュータが実行するプログラムであって、
上記投影部で外部からの画像信号の入力が停止した際に、上記外部メモリ装着部に外部メモリが装着されていること、及び装着されている外部メモリに所定のファイル名及び所定のファイル識別の画像ファイルが記憶されていることを判断する判断ステップと、
この判断ステップでの判断結果に応じて上記外部メモリから所定のファイル名及び所定のファイル識別の画像ファイルを読出させ、上記投影部で投影させる投影制御ステップと、
上記判断ステップで、画像ファイルとして、上記外部メモリ装着部に装着されている外部メモリに所定のファイル名及び所定のファイル識別の動画像ファイルを記憶していることが判断された場合に、上記投影制御ステップで、上記外部メモリから所定のファイル名及び所定のファイル識別の動画像ファイルを読出させ、上記投影部で再生して投影させている間は、上記音声処理部での上記動画像ファイルデータ中に重畳して記録されている音声データの出力を自動的に一時的に禁止する音声制御ステップと
をコンピュータに実行させることを特徴とするプログラム。
【発明の詳細な説明】
【技術分野】
【０００１】
本発明は、パーソナルコンピュータを接続してプレゼンテーションを行なうプロジェクタ装置等に好適な投影装置、投影制御方法及びプログラムに関する。
【背景技術】
【０００２】
従来、ユーザロゴ等の画像データの変更を簡単に行なうことができる投写型表示装置として、プロジェクタ内部に書き換え可能な記憶媒体であるフラッシュＲＯＭを設け、このフラッシュＲＯＭにホストコンピュータから供給されるユーザロゴなどの画像データを書込むようにした技術が考えられている。（例えば、特許文献１）
【特許文献１】特開２００１−０９２４０８号公報
【発明の開示】
【発明が解決しようとする課題】
【０００３】
上記特許文献１に記載された技術では、プロジェクタにホストコンピュータを接続することでユーザロゴ等の画像データがプロジェクタ内部のフラッシュＲＯＭに転送され、以後、投影動作が一時的に停止している状態等で適宜ユーザロゴ等の画像データを表示させることができる。
【０００４】
しかしながら、プロジェクタ内部のフラッシュＲＯＭへの画像データの転送、及びフラッシュＲＯＭが記憶する画像データの書換え等は、全てプロジェクタに接続した、パーソナルコンピュータ等のホストコンピュータが主体となって行なうものであり、プロジェクタ単体では対処できない。
【０００５】
近年は、プレゼンテーション用のドキュメントデータを一連のイメージファイルデータに変換してＵＳＢ（Ｕｎｉｖｅｒｓａｌ  Ｓｅｒｉａｌ  Ｂｕｓ）フラッシュメモリに記憶させることで、当該ＵＳＢフラッシュメモリを装置に備えられたＵＳＢ端子に装着するだけで、パーソナルコンピュータ等を接続することなくプレゼンテーションを実行することが可能なプロジェクタ装置も製品化されている。
【０００６】
このように、特に装置本体を小型、薄型化し、携帯性、機動性を重要視したプロジェクタ装置では、パーソナルコンピュータ等の接続なしに各種設定や動作を実行することが望まれている。
【０００７】
本発明は上記のような実情に鑑みてなされたもので、その目的とするところは、ホストとなる他の装置を接続することなく、ドキュメントデータ等の非投影時に気軽に各種画像を代わって投影させることが可能な投影装置、投影制御方法及びプログラムを提供することにある。
【課題を解決するための手段】
【０００８】
請求項１記載の発明は、投影装置であって、外部から入力される画像信号に応じた光像を形成して投影する投影手段と、所定のファイル名及び所定のファイル識別の画像ファイルを記憶可能な外部メモリを着脱可能な外部メモリ装着手段と、上記投影手段で外部からの画像信号の入力が停止した際に、上記外部メモリ装着手段に外部メモリが装着されていること、及び装着されている外部メモリに所定のファイル名及び所定のファイル識別の画像ファイルが記憶されていることを判断する判断手段と、この判断手段での判断結果に応じて上記外部メモリから所定のファイル名及び所定のファイル識別の画像ファイルを読出させ、上記投影手段で投影させる投影制御手段と、音声処理手段と、上記判断手段が、画像ファイルとして、上記外部メモリ装着手段に装着されている外部メモリに所定のファイル名及び所定のファイル識別の動画像ファイルを記憶していることを判断した場合に、上記投影制御手段が、上記外部メモリから所定のファイル名及び所定のファイル識別の動画像ファイルを読出させ、上記投影手段で再生して投影させている間は、上記音声処理手段での上記動画像ファイルデータ中に重畳して記録されている音声データの出力を自動的に一時的に禁止する音声制御手段とを具備したことを特徴とする。
【０００９】
請求項２記載の発明は、上記請求項１記載の発明において、上記判断手段は、上記外部メモリ装着手段に装着されている外部メモリに所定のファイル名及び所定のファイル識別の画像ファイルを複数記憶していることを判断し、上記投影制御手段は、上記外部メモリから所定のファイル名及び所定のファイル識別の複数の画像ファイルを所定の順序で読出させ、上記投影手段で順次切換えて投影させることを特徴とする。
【００１２】
請求項３記載の発明は、上記請求項１または２記載の発明において、上記外部メモリ装着手段に装着されている外部メモリから所定のファイル名及び所定のファイル識別の画像ファイルをコピーして記憶する内部画像メモリをさらに具備し、上記投影制御手段は、上記判断手段が上記外部メモリ装着手段に外部メモリが装着されていないと判断した場合に、上記内部画像メモリに記憶された画像ファイルを読出させ、上記投影手段で投影させることを特徴とする。
請求項４記載の発明は、上記請求項１乃至３いずれか記載の発明において、上記外部メモリ装着手段に装着されている外部メモリに記憶されるロゴ画像を使用する設定がされているか否かを判断する設定判断手段をさらに具備し、上記設定判断手段により、所定のファイル名及び所定のファイル識別の画像ファイルを使用する設定がされていると判断されたとき、上記判断手段は、上記投影手段で外部からの画像信号の入力が停止した際に、上記外部メモリ装着手段に外部メモリが装着されていること、及び装着されている外部メモリに所定のファイル名及び所定のファイル識別の画像ファイルが記憶されていることを判断することを特徴とする。
請求項５記載の発明は、上記請求項４記載の発明において、上記設定判断手段により、上記外部メモリに記憶されるロゴ画像を使用する設定がされていないと判断されたとき、上記投影制御手段は、デフォルトのロゴ画像データを読出させ、上記投影手段で投影させることを判断することを特徴とする。
【００１３】
請求項６記載の発明は、外部から入力される画像信号に応じた光像を形成して投影する投影部と、所定のファイル名及び所定のファイル識別の画像ファイルを記憶可能な外部メモリを着脱可能な外部メモリ装着部と、音声処理部とを備えた投影装置での投影制御方法であって、上記投影部で外部からの画像信号の入力が停止した際に、上記外部メモリ装着部に外部メモリが装着されていること、及び装着されている外部メモリに所定のファイル名及び所定のファイル識別の画像ファイルが記憶されていることを判断する判断工程と、この判断工程での判断結果に応じて上記外部メモリから所定のファイル名及び所定のファイル識別の画像ファイルを読出させ、上記投影部で投影させる投影制御工程と、上記判断工程で、画像ファイルとして、上記外部メモリ装着部に装着されている外部メモリに所定のファイル名及び所定のファイル識別の動画像ファイルを記憶していることが判断された場合に、上記投影制御工程で、上記外部メモリから所定のファイル名及び所定のファイル識別の動画像ファイルを読出させ、上記投影部で再生して投影させている間は、上記音声処理部での上記動画像ファイルデータ中に重畳して記録されている音声データの出力を自動的に一時的に禁止する音声制御工程とを有したことを特徴とする。
【００１４】
請求項７記載の発明は、外部から入力される画像信号に応じた光像を形成して投影する投影部と、所定のファイル名及び所定のファイル識別の画像ファイルを記憶可能な外部メモリを着脱可能な外部メモリ装着部と、音声処理部とを備えた投影装置に内蔵されたコンピュータが実行するプログラムであって、上記投影部で外部からの画像信号の入力が停止した際に、上記外部メモリ装着部に外部メモリが装着されていること、及び装着されている外部メモリに所定のファイル名及び所定のファイル識別の画像ファイルが記憶されていることを判断する判断ステップと、この判断ステップでの判断結果に応じて上記外部メモリから所定のファイル名及び所定のファイル識別の画像ファイルを読出させ、上記投影部で投影させる投影制御ステップと、上記判断ステップで、画像ファイルとして、上記外部メモリ装着部に装着されている外部メモリに所定のファイル名及び所定のファイル識別の動画像ファイルを記憶していることが判断された場合に、上記投影制御ステップで、上記外部メモリから所定のファイル名及び所定のファイル識別の動画像ファイルを読出させ、上記投影部で再生して投影させている間は、上記音声処理部での上記動画像ファイルデータ中に重畳して記録されている音声データの出力を自動的に一時的に禁止する音声制御ステップとをコンピュータに実行させることを特徴とする。
【発明の効果】
【００１５】
本発明によれば、ホストとなる他の装置を接続することなく、ドキュメントデータ等の非投影時に気軽に各種画像を代わって投影させることが可能となる。
【発明を実施するための最良の形態】
【００１６】
（第１の実施の形態）  
以下本発明をＤＬＰ（Ｄｉｇｉｔａｌ  Ｌｉｇｈｔ  Ｐｒｏｃｅｓｓｉｎｇ）（登録商標）方式のプロジェクタ装置に適用した場合の第１の実施の形態について図面を参照して説明する。
【００１７】
図１は、本実施の形態に係るプロジェクタ装置１０の電子回路の構成について示すものである。同図で、パーソナルコンピュータ等の外部機器を接続する入出力コネクタ部１１より入力される各種規格の画像信号が、入出力インタフェース（Ｉ／Ｆ）１２、システムバスＳＢを介して画像変換部１３で所定のフォーマットの画像信号に統一された後に、投影処理部１４へ送られる。
【００１８】
投影処理部１４は、送られてきた画像信号をビデオＲＡＭ１５に展開して記憶させた上でこのビデオＲＡＭ１５の記憶内容からビデオ信号を生成する。投影処理部１４は、このビデオ信号のフレームレート、例えば６０［フレーム／秒］と色成分の分割数、及び表示階調数を乗算した、より高速な時分割駆動により、空間的光変調素子（ＳＯＭ）である例えばマイクロミラー素子１６を表示駆動する。
【００１９】
一方、リフレクタ１７内に配置された、例えば超高圧水銀灯を用いた光源ランプ１８が高輝度の白色光を出射する。光源ランプ１８の出射した白色光は、カラーホイール１９を介して時分割で原色に着色され、インテグレータ２０で輝度分布が均一な光束とされた後にミラー２１で全反射して上記マイクロミラー素子１６に照射される。
【００２０】
しかして、マイクロミラー素子１６での反射光の一部で光像が形成され、形成された光像が光学レンズユニット２２を介して、投影対象となるここでは図示しないスクリーンに投影表示される。
【００２１】
光学レンズユニット２２は、マイクロミラー素子１６で形成された光像を拡大してスクリーン等の対象に投影するものであり、合焦位置及びズーム位置（投影画角）を任意に可変できるものとし、内部の図示しないフォーカスレンズ及びズームレンズはいずれもステッピングモータ（Ｍ）２３の回動駆動により移動する。
【００２２】
しかるに、上記光源ランプ１８の点灯駆動、及び上記カラーホイール１９を回転させるモータ（Ｍ）２４の回転駆動、及び上記ステッピングモータ２３の回動駆動等をいずれも投影光処理部２５が実行する。
【００２３】
この投影光処理部２５はまた、リフレクタ１７に取付けられて光源ランプ１８の温度を検出する温度センサ２６からの温度データを入力する。
【００２４】
上記各回路の動作すべてを制御部２７が制御する。この制御部２７は、ＣＰＵ、ワークメモリ等により構成され、ＥＥＰＲＯＭ等の不揮発性メモリでなるプログラムメモリ２８に固定記憶された動作プログラムや各種定型データ、デフォルトのロゴ画像ファイル等を用いて制御動作を実行する。
【００２５】
上記制御部２７にはさらに、上記システムバスＳＢを介して測距処理部２９、外部メモリインタフェース（Ｉ／Ｆ）３０、画像メモリ３１、及び音声処理部３２が接続される。
【００２６】
測距処理部２９は、このプロジェクタ装置１０の前面に上記光学レンズユニット２２と近接した、直交配置された２対の位相差センサからなる測距センサ３３を制御駆動し、それらの検出出力から任意の点位置までの距離を算出するもので、算出された距離値データを上記制御部２７へ送る。
【００２７】
外部メモリインタフェース３０は、パーソナルコンピュータ等の外部機器に代えて、プレゼンテーション用のドキュメントをイメージ化した画像データを記憶した外部メモリとしてのＵＳＢフラッシュメモリが外部メモリコネクタ部３４に装着された場合に、当該ＵＳＢフラッシュメモリからファイルデータ等を読出し、上記制御部２７へ送出する。
【００２８】
画像メモリ３１は、このプロジェクタ装置１０に内蔵された、フラッシュメモリ等の不揮発性メモリであり、制御部２７の指示に基づいてユーザが任意の画像ファイル等を記憶させることが可能となる。
【００２９】
音声処理部３２は、ＰＣＭ音源等の音源回路を備え、投影動作時に与えられる音声データをアナログ化し、プロジェクタ装置１０の本体ケーシングの例えば背面に設けられるスピーカ３５を駆動して拡声放音させ、あるいは必要によりビープ音等を発生させる。
【００３０】
なお、制御部２７に対して、キースイッチ部３６及びＩｒ受光部３７から直接ユーザのキー操作に応じた操作信号が入力される。  
このキースイッチ部３６としては、例えば電源キー、ＡＦＫ（Ａｕｔｏｍａｔｉｃ  Ｆｏｃｕｓ  ａｎｄ  ａｕｔｏｍａｔｉｃ  Ｋｅｙｓｔｏｎｅ  ｃｏｒｒｅｃｔｉｏｎ：自動合焦及び自動台形補正）キー、ズームキー、フォーカスキー、入力選択キー、カーソル（「↑」「↓」「←」「→」）キー、「Ｅｎｔｅｒ」キー、「Ｃａｎｃｅｌ」キー等からなるもので、同様のキーがこのプロジェクタ装置１０の図示しないリモートコントローラにも配設されているものとする。
【００３１】
Ｉｒ受光部３７は、プロジェクタ装置１０の本体ケーシングの前面及び背面に設けられ、図示しない上記リモートコントローラからの赤外光変調信号を復調してコード信号化し、制御部２７に送出する。
【００３２】
次に上記実施の形態の動作について説明する。  
図２は、外部メモリコネクタ部３４に装着されるＵＳＢフラッシュメモリ内に記憶されたデータファイルの構成を示すものである。同図では、例えばリムーバブルディスクである「Ｆ」ドライブとして認識されるＵＳＢフラッシュメモリに、２つのプレゼンテーション用ファイルフォルダ「プレゼンフォルダ１」「プレゼンフォルダ２」と単体のロゴ画像ファイルデータ「ＬＯＧＯ．ｊｐｇ」とが記憶されている状態を例示している。
【００３３】
各プレゼンテーション用ファイルフォルダ「プレゼンフォルダ１」「プレゼンフォルダ２」はいずれも、事前にパーソナルコンピュータ等において、プレゼンテーション用ソフトウェアで作成されたドキュメントファイルが、パーソナルコンピュータなしでのプレゼンテーションを実行するための変換ソフトウェアにより、拡張子が「．ｊｐｇ」である複数の静止画像（ＪＰＥＧ）ファイルデータに変換された状態で記憶されていることを示す。
【００３４】
一方、単体のロゴ画像ファイルデータ「ＬＯＧＯ．ｊｐｇ」は、このプロジェクタ装置１０で予めユーザが任意に設定して投影させることが可能なロゴ画像固有のファイル名「ＬＯＧＯ」及び当該ファイルが画像ファイルであることを示す複数の拡張子中の１つである「．ｊｐｇ」であることを示す。
【００３５】
ファイル名「ＬＯＧＯ」によりユーザが任意に設定して投影させることが可能なロゴ画像を識別する拡張子としては、他にビットマップ画像を示す拡張子「．ｂｍｐ」やＰＤＦ画像であることを示す拡張子「．ｐｄｆ」等があるものとする。
【００３６】
図３は、プロジェクタ装置１０が電源を投入し、且つ投影すべき画像がない状態、例えば、電源投入直後で光源ランプ１８の温度が投影に適した範囲まで上がっておらず、プレゼンテーション等の投影を開始できない場合、あるいは一連のプレゼンテーションを終了し、次に投影すべき画像が選択されない場合、等に実行する、ロゴ表示要求に対する処理内容を示す。同処理は、プログラムメモリ２８に記憶された動作プログラムに基づいて制御部２７が実行する行程の一部を構成するサブルーチンである。
【００３７】
その処理当初には、予めユーザにより、外部メモリコネクタ部３４に装着されるＵＳＢフラッシュメモリに記憶されているロゴ画像を使用するような設定がなされているか否かを判断する（ステップＡ０１）。
【００３８】
ここで当該設定がなされていると判断すると、次いで実際に外部メモリコネクタ部３４にＵＳＢフラッシュメモリが装着されているか否かを判断する（ステップＡ０２）。
【００３９】
ここでＵＳＢフラッシュメモリが装着されていることを確認すると、さらにそのＵＳＢフラッシュメモリ内を検索し、ファイル名が「ＬＯＧＯ」である所定拡張子「．ｊｐｇ」「．ｂｍｐ」「．ｐｄｆ」等の画像ファイルデータが単体で記憶されているか否かを判断する（ステップＡ０３）。
【００４０】
記憶されていると判断すると、以上で外部メモリコネクタ部３４に装着されているＵＳＢフラッシュメモリの所定画像ファイルをロゴ画像として投影する条件が整ったものとして、ＵＳＢフラッシュメモリに記憶されている当該ロゴ画像のファイルデータを選択して読出し、上記画像変換部１３で必要な画像フォーマットに変換した後に投影処理部１４に送出してマイクロミラー素子１６、光学レンズユニット２２を介して投影させる（ステップＡ０４）。その後、このサブルーチンの処理を一旦終了する。
【００４１】
また、上記ステップＡ０１で外部メモリコネクタ部３４に装着されるＵＳＢフラッシュメモリに記憶されているロゴ画像を使用するような設定がなされていないと判断した場合、上記ステップＡ０２で外部メモリコネクタ部３４にＵＳＢフラッシュメモリが装着されていないと判断した場合、及び上記ステップＡ０３でＵＳＢフラッシュメモリ内にファイル名が「ＬＯＧＯ」である所定の拡張子の画像ファイルデータが記憶されていないと判断した場合は、いずれも外部メモリコネクタ部３４に装着されているＵＳＢフラッシュメモリの所定画像ファイルをロゴ画像として投影する条件が整っていないものとして、プログラムメモリ２８に動作プログラム等と共に固定的に記憶されている、このプロジェクタ装置１０のデフォルト設定であるロゴ画像データを選択して読出し、投影処理部１４に送出してマイクロミラー素子１６、光学レンズユニット２２を介して投影させる（ステップＡ０５）。その後、このサブルーチンの処理を一旦終了する。
【００４２】
このように、任意の画像を所定のファイル名及び拡張子の画像ファイルとして外部メモリであるＵＳＢフラッシュメモリに記憶しておき、そのメモリを外部メモリコネクタ部３４に装着するだけの手間により、プロジェクタ装置１０にホストとなるパーソナルコンピュータのような他の装置を接続することなく、ドキュメントデータ等の非投影時に気軽に各種画像をロゴ画像として投影させることが可能となる。
【００４３】
（第１の実施の形態の他の動作例）  
なお、上記動作では、外部メモリであるＵＳＢフラッシュメモリに所定のファイル名及び拡張子の画像ファイルが１つ記憶されている場合について説明したが、本実施の形態はこれに限らず、同様の複数の画像ファイルデータを１つのフォルダに纏めて記憶させておくものとしてもよい。
【００４４】
以下、そのようなケースについて上記実施の形態の他の動作例として図面を参照して説明する。
【００４５】
図４は、外部メモリコネクタ部３４に装着されるＵＳＢフラッシュメモリ内に記憶されたデータファイルの構成を示すものである。同図では、例えばリムーバブルディスクである「Ｆ」ドライブとして認識されるＵＳＢフラッシュメモリに、２つのプレゼンテーション用ファイルフォルダ「プレゼンフォルダ１」「プレゼンフォルダ２」と複数のロゴ画像用のファイルフォルダ「ＬＯＧＯフォルダ」とが記憶されている状態を例示している。
【００４６】
各プレゼンテーション用ファイルフォルダ「プレゼンフォルダ１」「プレゼンフォルダ２」はいずれも、事前にパーソナルコンピュータ等において、プレゼンテーション用ソフトウェアで作成されたドキュメントファイルが、パーソナルコンピュータなしでのプレゼンテーションを実行するための変換ソフトウェアにより、拡張子が「．ｊｐｇ」である複数の静止画像（ＪＰＥＧ）ファイルデータに変換された状態で記憶されていることを示す。
【００４７】
一方、ロゴ画像用のファイルフォルダ「ＬＯＧＯフォルダ」は、このプロジェクタ装置１０で予めユーザが任意に設定して投影させることが可能なロゴ画像固有のファイル名「ロゴ画像ファイルｘ」（ｘ＝１〜ｋ）及び当該ファイルが画像ファイルであることを示す複数の拡張子中の１つである「．ｊｐｇ」の画像ファイルデータを複数有している。
【００４８】
ファイル名「ロゴ画像ファイルｘ」（ｘ＝１〜ｋ）によりユーザが任意に設定して投影させることが可能なロゴ画像を識別する拡張子としては、他にビットマップ画像を示す拡張子「．ｂｍｐ」やＰＤＦ画像であることを示す拡張子「．ｐｄｆ」等があるものとする。
【００４９】
図５は、プロジェクタ装置１０が電源を投入し、且つ投影すべき画像がない状態、例えば、電源投入直後で光源ランプ１８の温度が投影に適した範囲まで上がっておらず、プレゼンテーション等の投影を開始できない場合、あるいは一連のプレゼンテーションを終了し、次に投影すべき画像が選択されない場合、等に実行する、ロゴ表示要求に対する処理内容を示す。同処理は、プログラムメモリ２８に記憶された動作プログラムに基づいて制御部２７が実行する行程の一部を構成するサブルーチンである。
【００５０】
その処理当初には、予めユーザにより、外部メモリコネクタ部３４に装着されるＵＳＢフラッシュメモリに記憶されているロゴ画像を使用するような設定がなされているか否かを判断する（ステップＢ０１）。
【００５１】
ここで当該設定がなされていると判断すると、次いで実際に外部メモリコネクタ部３４にＵＳＢフラッシュメモリが装着されているか否かを判断する（ステップＢ０２）。
【００５２】
ここでＵＳＢフラッシュメモリが装着されていることを確認すると、さらにそのＵＳＢフラッシュメモリ内を検索し、フォルダ名が「ＬＯＧＯフォルダ」であるファイルフォルダが記憶されているか否かを判断する（ステップＢ０３）。
【００５３】
記憶されていると判断すると、さらに当該ファイルフォルダ内にファイル名「ロゴ画像ファイルｘ」（ｘ＝１〜ｋ）の画像データファイルが記憶されているか否かを判断する（ステップＢ０４）。
【００５４】
ここで実際に投影すべき「ロゴ画像ファイルｘ」（ｘ＝１〜ｋ）が記憶されていることを確認すると、以上で外部メモリコネクタ部３４に装着されているＵＳＢフラッシュメモリ内のファイル名「ロゴ画像ファイルｘ」（ｘ＝１〜ｋ）を構成する所定画像ファイルをロゴ画像として投影する条件が整ったものとして、ＵＳＢフラッシュメモリの当該フォルダに記憶されている当該ロゴ画像のファイルデータを１つ選択して読出し、上記画像変換部１３で必要な画像フォーマットに変換した後に投影処理部１４に送出してマイクロミラー素子１６、光学レンズユニット２２を介して投影させる（ステップＢ０５）。
【００５５】
次いでこの投影状態を予め設定された時間、例えば１０秒間だけ継続して行なうべく待機した後（ステップＢ０６）、ＵＳＢフラッシュメモリの当該フォルダから次のロゴ画像のファイルデータを１つ選択して読出し、再び上記画像変換部１３で必要な画像フォーマットに変換した後に投影処理部１４に送出してマイクロミラー素子１６、光学レンズユニット２２を介して投影させる（ステップＢ０７）。
【００５６】
こうして、所謂スライドショー機能のようにロゴ画像を切り換えた後、それを解除するための割込み処理、例えばキースイッチ部３６の「Ｃａｎｃｅｌ」キーの操作等があったか否かを判断し（ステップＢ０８）、なければ上記ステップＢ０６からの処理に戻る。
【００５７】
このように割込みがかからない限り、スライドショー機能の如く一定時間毎に複数のロゴ画像を順次切換えていく。
【００５８】
しかるに、割込みがかかった時点でステップＢ０８によりこれを判断し、以上でこの図５のサブルーチンの処理を一旦終了する。
【００５９】
また、上記ステップＢ０１で外部メモリコネクタ部３４に装着されるＵＳＢフラッシュメモリに記憶されているロゴ画像を使用するような設定がなされていないと判断した場合、上記ステップＢ０２で外部メモリコネクタ部３４にＵＳＢフラッシュメモリが装着されていないと判断した場合、ステップＢ０３でＵＳＢフラッシュメモリ内にフォルダ名「ＬＯＧＯフォルダ」のファイルフォルダが記憶されていないと判断した場合、及び上記ステップＢ０４で当該ファイルフォルダ内にファイル名「ロゴ画像ファイルｘ」（ｘ＝１〜ｋ）の画像ファイルデータが記憶されていないと判断した場合は、いずれも外部メモリコネクタ部３４に装着されているＵＳＢフラッシュメモリの所定画像ファイルをロゴ画像として投影する条件が整っていないものとして、プログラムメモリ２８に動作プログラム等と共に固定的に記憶されている、このプロジェクタ装置１０のデフォルト設定であるロゴ画像データを選択して読出し、投影処理部１４に送出してマイクロミラー素子１６、光学レンズユニット２２を介して投影させる（ステップＢ０９）。その後、このサブルーチンの処理を一旦終了する。
【００６０】
このように、あたかもスライドショー機能のように複数のロゴ画像を一定時間毎に複数のロゴ画像を順次切換えて投影させることで、各種画像をロゴ画像として投影させる際の表現力をより多彩で豊かなものとすることができる。
【００６１】
（第２の実施の形態）  
以下本発明をＤＬＰ（登録商標）方式のプロジェクタ装置に適用した場合の第２の実施の形態について図面を参照して説明する。
【００６２】
なお、本実施の形態に係るプロジェクタ装置１０の電子回路の構成については、上記図１で示した内容と同様であるので、同一部分には同一符号を用いてその図示と説明とを省略するものとする。
【００６３】
次に上記実施の形態の動作について説明する。  
図６は、外部メモリコネクタ部３４に装着されるＵＳＢフラッシュメモリ内に記憶されたデータファイルの構成を示すものである。同図では、例えばリムーバブルディスクである「Ｆ」ドライブとして認識されるＵＳＢフラッシュメモリに、２つのプレゼンテーション用ファイルフォルダ「プレゼンフォルダ１」「プレゼンフォルダ２」と単体のロゴ画像ファイルデータ「ＬＯＧＯ．ａｖｉ」とが記憶されている状態を例示している。
【００６４】
各プレゼンテーション用ファイルフォルダ「プレゼンフォルダ１」「プレゼンフォルダ２」はいずれも、事前にパーソナルコンピュータ等において、プレゼンテーション用ソフトウェアで作成されたドキュメントファイルが、パーソナルコンピュータなしでのプレゼンテーションを実行するための変換ソフトウェアにより、拡張子が「．ｊｐｇ」である複数の静止画像（ＪＰＥＧ）ファイルデータに変換された状態で記憶されていることを示す。
【００６５】
一方、単体のロゴ画像ファイルデータ「ＬＯＧＯ．ａｖｉ」は、このプロジェクタ装置１０で予めユーザが任意に設定して投影させることが可能なロゴ画像固有のファイル名「ＬＯＧＯ」及び当該ファイルが動画像ファイルであることを示す複数の拡張子中の１つである「．ａｖｉ」であることを示す。
【００６６】
ファイル名「ＬＯＧＯ」によりユーザが任意に設定して投影させることが可能なロゴ画像を識別する拡張子としては、他にＭＰＥＧ（Ｍｏｖｉｎｇ  Ｐｉｃｔｕｒｅ  ｃｏｄｉｎｇ  Ｅｘｐｅｒｔｓ  Ｇｒｏｕｐ）形式の動画ファイルを示す拡張子「．ｍｐｇ」や、ＭＰＥＧ−２形式の動画ファイルを示す拡張子「．ｍ２ｐ」、ＭＰＥＧ−４形式の動画ファイルを示す拡張子「．ｍｐ４」等があるものとする。
【００６７】
図７は、プロジェクタ装置１０が電源を投入し、且つ投影すべき画像がない状態、例えば、電源投入直後で光源ランプ１８の温度が投影に適した範囲まで上がっておらず、プレゼンテーション等の投影を開始できない場合、あるいは一連のプレゼンテーションを終了し、次に投影すべき画像が選択されない場合、等に実行する、ロゴ表示要求に対する処理内容を示す。同処理は、プログラムメモリ２８に記憶された動作プログラムに基づいて制御部２７が実行する行程の一部を構成するサブルーチンである。
【００６８】
その処理当初には、予めユーザにより、外部メモリコネクタ部３４に装着されるＵＳＢフラッシュメモリに記憶されているロゴ画像を使用するような設定がなされているか否かを判断する（ステップＣ０１）。
【００６９】
ここで当該設定がなされていると判断すると、次いで実際に外部メモリコネクタ部３４にＵＳＢフラッシュメモリが装着されているか否かを判断する（ステップＣ０２）。
【００７０】
ここでＵＳＢフラッシュメモリが装着されていることを確認すると、さらにそのＵＳＢフラッシュメモリ内を検索し、ファイル名が「ＬＯＧＯ」である画像ファイルデータが記憶されているか否かを判断する（ステップＣ０３）。
【００７１】
記憶されていると判断すると、次いでそのファイル名が「ＬＯＧＯ」である画像ファイルデータの拡張子が動画ファイルを示す「．ａｖｉ」「．ｍｐｇ」「．ｍ２ｐ」「．ｍｐ４」等であるか否かを判断する（ステップＣ０４）。
【００７２】
拡張子から動画ファイルデータであると判断すると、以上で外部メモリコネクタ部３４に装着されているＵＳＢフラッシュメモリの所定画像ファイルを動画のロゴ画像として投影する条件が整ったものとして、ＵＳＢフラッシュメモリに記憶されている当該ロゴ画像のファイルデータを選択して読出し、上記画像変換部１３で必要な画像フォーマットに変換した後に投影処理部１４に送出してマイクロミラー素子１６、光学レンズユニット２２を介して動画として投影させる（ステップＣ０５）。その後、このサブルーチンの処理を一旦終了する。
【００７３】
また、上記ステップＣ０４でファイル名が「ＬＯＧＯ」である画像ファイルデータの拡張子から動画ファイルデータではないと判断すると、その画像ファイルはすなわち静止画像であることとなり、ＵＳＢフラッシュメモリに記憶されている当該ロゴ画像のファイルデータを選択して読出し、上記画像変換部１３で必要な画像フォーマットに変換した後に投影処理部１４に送出してマイクロミラー素子１６、光学レンズユニット２２を介して投影させる（ステップＣ０６）。その後、このサブルーチンの処理を一旦終了する。
【００７４】
さらに、上記ステップＣ０１で外部メモリコネクタ部３４に装着されるＵＳＢフラッシュメモリに記憶されているロゴ画像を使用するような設定がなされていないと判断した場合、上記ステップＣ０２で外部メモリコネクタ部３４にＵＳＢフラッシュメモリが装着されていないと判断した場合、及び上記ステップＣ０３でＵＳＢフラッシュメモリ内にファイル名が「ＬＯＧＯ」である画像ファイルデータが記憶されていないと判断した場合は、いずれも外部メモリコネクタ部３４に装着されているＵＳＢフラッシュメモリの所定画像ファイルをロゴ画像として投影する条件が整っていないものとして、プログラムメモリ２８に動作プログラム等と共に固定的に記憶されている、このプロジェクタ装置１０のデフォルト設定であるロゴ画像データを選択して読出し、投影処理部１４に送出してマイクロミラー素子１６、光学レンズユニット２２を介して投影させる（ステップＣ０７）。その後、このサブルーチンの処理を一旦終了する。
【００７５】
このように、任意の動画像及び静止画像を所定のファイル名及び拡張子の画像ファイルとして外部メモリであるＵＳＢフラッシュメモリに記憶しておき、そのメモリを外部メモリコネクタ部３４に装着するだけの手間により、プロジェクタ装置１０にホストとなるパーソナルコンピュータのような他の装置を接続することなく、ドキュメントデータ等の非投影時に気軽に各種画像をロゴ画像として投影させることが可能となる。
【００７６】
加えて、静止画像のみならず動画像によるロゴ画像を投影可能としたことにより、各種の動画像をロゴ画像として、投影させる際の表現力をより多彩で豊かなものとすることができる。
【００７７】
なお、上記動画像ファイルのロゴ画像として投影するに当たっては、動画像ファイルデータ中に重畳して記録されている音声データの再生と出力を自動的に禁止するものとして設定してもよい。
【００７８】
これは、ロゴ画像の投影時に限って制御部２７が音声処理部３２に対して音声の出力を一時的に停止する制御を行なうことで実現されるものである。このように投影中の音声の出力を自動的に禁止することで、例えばこのプロジェクタ装置１０の使用者がプレゼンテーションを行なっている途中である場合に、出力音声が使用者の説明を阻害してしまうような事態を未然に防ぐことができる。
【００７９】
（第３の実施の形態）  
以下本発明をＤＬＰ（登録商標）方式のプロジェクタ装置に適用した場合の第３の実施の形態について図面を参照して説明する。
【００８０】
なお、本実施の形態に係るプロジェクタ装置１０の電子回路の構成については、上記図１で示した内容と同様であるものとし、同一部分には同一符号を用いるものとしてその図示と説明とを省略する。
【００８１】
次に上記実施の形態の動作について説明する。  
図８は、外部メモリコネクタ部３４に装着されるＵＳＢフラッシュメモリに対して制御部２７が実行する動作プログラムの一部を示すものである。同図に示すように、制御部２７は常時外部メモリコネクタ部３４に対してＵＳＢフラッシュメモリが新規に装着されるのを監視する（ステップＤ０１）。
【００８２】
新規にＵＳＢフラッシュメモリが装着されると上記ステップＤ０１でこれを判断し、次に装着されたメモリ内に記憶されているファイル構成を検索する（ステップＤ０２）。
【００８３】
次いで、その時点で画像メモリ３１に記憶されているファイル構成も同様に検索し（ステップＤ０３）、ファイル名とその拡張子を比較する相互参照により、画像メモリ３１にまだ登録されていないログ画像の画像ファイルがＵＳＢフラッシュメモリにあるか否かを判断する（ステップＤ０４）。
【００８４】
ここで、未登録のログ画像の画像ファイルはないと判断した場合には、再び次に新規のＵＳＢフラッシュメモリが装着されるのを待機するべく上記ステップＤ０１からの処理に戻る。
【００８５】
また、ステップＤ０４で画像メモリ３１にまだ登録されていないログ画像の画像ファイルがＵＳＢフラッシュメモリに記憶されていると判断した場合には、その未登録の画像ファイルを外部メモリコネクタ部３４、外部メモリインタフェース３０を介して読出し、画像メモリ３１にコピーして書込み設定し（ステップＤ０５）、コピーを終えた時点で再び次に新規のＵＳＢフラッシュメモリが装着されるのを待機するべく上記ステップＤ０１からの処理に戻る。
【００８６】
こうして、外部メモリコネクタ部３４に新たにＵＳＢフラッシュメモリが装着された時点で即時その記憶内容を検索し、未登録の画像データがあれば画像メモリ３１にコピーして記憶させるものとする。
【００８７】
以後、制御部２７がロゴ表示要求に対する処理を実行するに当たっては、上記図３のステップＡ０５、または上記図５のステップＢ０９、または上記図７のステップＣ０７の処理を実行するに先立って画像メモリ３１内を検索し、ログ画像の画像ファイルが記憶されている場合にはそれを読出して投影するものとする。
【００８８】
このように、一度装着されたＵＳＢフラッシュメモリに記憶されているログ画像の画像ファイルを即時画像メモリ３１にコピーして記憶しておくものとすれば、その後にＵＳＢフラッシュメモリが外部メモリコネクタ部３４から取り外されてしまった場合、あるいは新たに装着されたＵＳＢフラッシュメモリにログ画像の画像ファイルが記憶されていなかった場合であっても、それ以前にコピーしたログ画像の画像ファイルを用いた投影を実行する。
【００８９】
そのため、例えばプレゼンテーション動作の途中でＵＳＢフラッシュメモリを付け替えなければならない場合などにおいても、特別なユーザの切替操作等を行なう必要なしに、それ以前に装着されていたログ画像の画像ファイルを用いて投影を実行することができる。
【００９０】
なお、上記第１乃至第３の実施の形態はいずれも、外部メモリコネクタ部３４に装着される外部メモリとしてＵＳＢフラッシュメモリを用いる場合について例示したが、本発明では外部メモリを接続する端子としてＵＳＢ端子に限らず、ＩＥＥＥ１３９４端子を用いるもの、あるいは携帯音楽プレーヤや携帯電話機等を外部メモリとして接続する場合などにも適用可能であるものとする。
【００９１】
なお、上記実施の形態は、ＤＬＰ（登録商標）方式のプロジェクタ装置に適用した場合について説明したものであるが、本発明はこれに限らず、透過型のカラー液晶パネルを表示素子として投影動作を実行する液晶方式のプロジェクタ装置、あるいは原色の光源を時分割でモノクロの液晶表示パネルに透過させるフィールドシーケンシャル駆動の液晶方式のプロジェクタ装置等でも同様に適用することが可能である。
【００９２】
その他、本発明は上述した実施の形態に限定されるものではなく、実施段階ではその要旨を逸脱しない範囲で種々に変形することが可能である。また、上述した実施の形態で実行される機能は可能な限り適宜組合わせて実施しても良い。上述した実施の形態には種々の段階が含まれており、開示される複数の構成要件により適宜の組合せにより種々の発明が抽出され得る。例えば、実施の形態に示される全構成要件からいくつかの構成要件が削除されても、効果が得られるのであれば、この構成要件が削除された構成が発明として抽出され得る。
【図面の簡単な説明】
【００９３】
【図１】本発明の第１の実施の形態に係るプロジェクタ装置の電子回路の機能構成を示すブロック図。
【図２】同実施の形態に係る外部メモリに記憶されたデータファイルの構成を例示する図。
【図３】同実施の形態に係るロゴ表示要求に対する処理内容を示すフローチャート。
【図４】同実施の形態に係る外部メモリに記憶されたデータファイルの他の構成を例示する図。
【図５】同実施の形態に係るロゴ表示要求に対する他の処理内容を示すフローチャート。
【図６】本発明の第２の実施の形態に係る外部メモリに記憶されたデータファイルの構成を例示する図。
【図７】同実施の形態に係るロゴ表示要求に対する処理内容を示すフローチャート。
【図８】本発明の第３の実施の形態に係る新規の外部メモリの装着に対する処理内容を示すフローチャート。
【符号の説明】
【００９４】
１０…プロジェクタ装置、１１…入出力コネクタ部、１２…入出力インタフェース（Ｉ／Ｆ）、１３…画像変換部、１４…投影処理部、１５…ビデオＲＡＭ、１６…マイクロミラー素子、１７…リフレクタ、１８…光源ランプ、１９…カラーホイール、２０…インテグレータ、２１…ミラー、２２…光学レンズユニット、２２ａ…フォーカスレンズ、２３…ステッピングモータ（Ｍ）、２４…モータ（Ｍ）、２５…投影光処理部、２６…温度センサ、２７…制御部、２８…プログラムメモリ、２９…測距処理部、３０…外部メモリインタフェース（Ｉ／Ｆ）、３１…画像メモリ、３２…音声処理部、３３…測距センサ、３４…外部メモリコネクタ部、３５…スピーカ、３６…キースイッチ部、３７…Ｉｒ受光部、ＳＢ…システムバス。
【図１】
0005386787.tif 000002
【図２】
0005386787.tif 000003
【図３】
0005386787.tif 000004
【図４】
0005386787.tif 000005
【図５】
0005386787.tif 000006
【図６】
0005386787.tif 000007
【図７】
0005386787.tif 000008
【図８】
0005386787.tif 000009